(57)【要約】【課題】  薄いピニオン歯車を使用しても、ピニオン歯車とラック部材とを確実に噛み合わせることができ、薄型に構成することができる「ディスク装置」を提供することを目的とする。【解決手段】  保持板４１がピニオン歯車５１と移送モータＭ２との隙間内に入り込んだ状態で、固定側ラック４３のラック歯４３ａと可動側ラック４２のラック歯４２ａがピニオン歯車５１と噛み合っている。可動側ラック４２は、保持板４１に形成された板ばね４１ｃでＱ方向へ付勢され、ピニオン歯車５１とラック部材との噛み合わせのバックラッシュが低減されている。保持板４１がピニオン歯車５１の下に位置しているため、ラック部材がピニオン歯車５１から外れない。【選択図】図２
2008090940.tif 000002
【特許請求の範囲】
【請求項１】
ディスクを回転させる回転駆動部と、ディスクに対向して記録動作と再生動作の少なくとも一方を行うヘッドと、前記ヘッドをディスクの面に沿って案内する案内部と、前記ヘッドを前記案内部に沿って移動させる移送機構とが設けられたディスク装置において、
前記移送機構は、モータの動力で回転駆動されるピニオン歯車を有し、前記ヘッドには、その面がヘッドの移動方向に延びる保持板と、前記ヘッドの移動方向に沿って歯が並ぶラック部材とが設けられており、
前記保持板が、前記ピニオン歯車と、前記ピニオン歯車の軸を支持する支持部との隙間内で、前記ヘッドの移動方向へ移動自在に設けられ、前記ラック部材が前記ピニオン歯車と噛み合っていることを特徴とするディスク装置。
【請求項２】
前記ラック部材が、前記ヘッドと一体に移動する固定側ラックと、前記ヘッドに対して歯の並び方向へ移動することができる可動側ラックとで構成され、前記可動側ラックを歯の並び方向へ付勢する付勢部材が設けられており、
前記ピニオン歯車の歯が、前記固定側ラックの歯と前記可動側ラックの歯とで挟まれた状態で、前記ピニオン歯車が前記固定側ラックと前記可動側ラックの双方に噛み合っている請求項１記載のディスク装置。
【請求項３】
前記保持板と前記固定側ラックとが前記ヘッドに固定され、前記可動側ラックが、前記保持板と前記固定側ラックとの間で移動自在に挟まれている請求項２記載のディスク装置。
【請求項４】
前記保持板の一部と前記固定側ラックの一部が互いに離れないように掛止された掛止部が複数箇所に設けられている請求項３記載のディスク装置。
【請求項５】
前記掛止部が設けられていない部分で、前記保持板または前記固定側ラックの一方にスペーサ部が突設されており、このスペーサ部が他方に突き当てられて、前記保持板と前記固定側ラックとの間隔が維持されている請求項４記載のディスク装置。
【請求項６】
前記保持板と前記固定側ラックの一方が金属板で形成され、この金属板の一部に、前記付勢部材を構成する板ばねが形成されている請求項２ないし５のいずれかに記載のディスク装置。
【発明の詳細な説明】
【技術分野】
【０００１】
本発明は、ディスクを回転駆動する回転駆動部と、ディスクに沿って移動するヘッドとを備えたディスク装置に関する。
【背景技術】
【０００２】
ＣＤ（コンパクト・ディスク）またはＤＶＤ（ディジタル・バーサタイル・ディスク）などを駆動するディスク装置では、ディスクがターンテーブルにクランプされてターンテーブルと共に回転駆動される。ディスクに記録された情報を読取り、またはディスクに情報を記録するヘッドは、モータの動力によりディスクに沿って移動させられる。
【０００３】
モータの動力をヘッドの移動力に変換するスレッド機構としては、ヘッドの移動方向に沿って延びるスクリュー軸が設けられ、ヘッドに、スクリュー軸の溝に掛止する掛止部が設けられており、スクリュー軸の回転に伴なってヘッドが移動させられるものがある。
【０００４】
また、以下の特許文献１と特許文献２には、ピニオン歯車とラックを用いてヘッドを移動させるスレッド機構が開示されている。このスレッド機構は、ヘッドにラック部材が設けられ、モータで回転駆動されるピニオン歯車がラック部材に噛み合って、モータの回転がヘッドの直線移動に変換される。
【０００５】
また、ラック部材が固定側ラックと可動側ラックとが重ねられて構成され、可動側ラックがばねにより付勢されている。ピニオン歯車の歯が、固定側ラックの歯と可動側ラックの歯とで挟まれることで、ラック部材とピニオン歯車との噛み合いバックラッシュの発生が抑制されている。
【特許文献１】特開２００１−６３０２号公報
【特許文献２】特開２００２−２５２０６号公報
【発明の開示】
【発明が解決しようとする課題】
【０００６】
特許文献１または特許文献２に記載のように、ヘッドにラック部材が設けられたスレッド機構では、ラック部材を構成する固定側ラックと可動側ラックの双方がピニオン歯車に噛み合っている。２つ重ねられたラックとピニオン歯車とを確実に噛み合わせるためには、軸方向の厚み寸法が大きいピニオン歯車を使用する必要がある。そのため、スレッド機構の厚みが増大し、薄型の装置を構成することが困難になる。
【０００７】
本発明は上記従来の課題を解決するものであり、薄いピニオン歯車を使用しても、ピニオン歯車とラック部材とを確実に噛み合わせることができ、薄型に構成することができるディスク装置を提供することを目的としている。
【課題を解決するための手段】
【０００８】
本発明は、ディスクを回転させる回転駆動部と、ディスクに対向して記録動作と再生動作の少なくとも一方を行うヘッドと、前記ヘッドをディスクの面に沿って案内する案内部と、前記ヘッドを前記案内部に沿って移動させる移送機構とが設けられたディスク装置において、
前記移送機構は、モータの動力で回転駆動されるピニオン歯車を有し、前記ヘッドには、その面がヘッドの移動方向に延びる保持板と、前記ヘッドの移動方向に沿って歯が並ぶラック部材とが設けられており、
前記保持板が、前記ピニオン歯車と、前記ピニオン歯車の軸を支持する支持部との隙間内で、前記移動方向へ移動自在に設けられ、前記ラック部材が前記ピニオン歯車と噛み合っていることを特徴とするものである。
【０００９】
本発明のディスク装置では、ヘッドに設けられた保持板が、ピニオン歯車と支持部との間に挟まれた状態で、ラック部材がピニオン歯車に噛み合っている。よって、保持板上に設けられたラック部材がピニオン歯車の軸方向へ移動しにくく、ラック部材がピニオン歯車から外れにくい。そのため、ピニオン歯車の軸方向の厚み寸法を可能な限り小さくでき、機構を薄型に構成できる。
【００１０】
なお、以下の実施の形態では、モータの回転軸にピニオン歯車が設けられ、ピニオン歯車とモータ本体との間の隙間、ピニオン歯車とモータ本体の上に設けられた保持金具などとの隙間に、保持板が設けられている。つまり、モータ本体や保持金具が支持部となっている。しかし、ピニオン歯車およびこのピニオン歯車に動力を伝達する歯車列のそれぞれの軸が支持部に固定されて、モータの動力が前記歯車列を介してピニオン歯車に伝達されるようになっており、保持板がピニオン歯車と支持部との間に挟まれている構造であってもよい。
【００１１】
本発明は、前記ラック部材が、前記ヘッドと一体に移動する固定側ラックと、前記ヘッドに対して歯の並び方向へ移動することができる可動側ラックとで構成され、前記可動側ラックを歯の並び方向へ付勢する付勢部材が設けられており、
前記ピニオン歯車の歯が、前記固定側ラックの歯と前記可動側ラックの歯とで挟まれた状態で、前記ピニオン歯車が前記固定側ラックと前記可動側ラックの双方に噛み合っているものが好ましい。
【００１２】
上記構成により、ラック部材とピニオン歯車との噛み合いのバックラッシュを抑制することができる。
【００１３】
また、本発明は、前記保持板と前記固定側ラックとが前記ヘッドに固定され、前記可動側ラックが、前記保持板と前記固定側ラックとの間で移動自在に挟まれている構成にできる。可動側ラックが保持板と固定側ラックとの間に挟まれていると、さらに全体を薄型に構成できる。
【００１４】
本発明では、前記保持板の一部と前記固定側ラックの一部が互いに離れないように掛止された掛止部が複数箇所に設けられていることにより、固定側ラックが保持板から離れることを防止でき、固定側ラックがピニオン歯車から外れることをさらに防止しやすくなる。
【００１５】
また、前記掛止部が設けられていない部分で、前記保持板または前記固定側ラックの一方にスペーサ部が突設されており、このスペーサ部が他方に突き当てられて、前記保持板と前記固定側ラックとの間隔が維持されていると、保持板と固定側ラックとの間に、可動側ラックが移動できる隙間を十分に確保できる。
【００１６】
さらに、本発明では、前記保持板と前記固定側ラックの一方が金属板で形成され、この金属板の一部に、前記付勢部材を構成する板ばねが形成されていることが好ましい。
【００１７】
上記のように、保持板または固定側ラックに板ばねを一体に形成することにより、部品を削減でき、さらに機構を薄型に構成できる。
【発明の効果】
【００１８】
本発明のディスク装置では、ラック部材がピニオン歯車から外れにくくなる。そのために、軸方向の厚さ寸法の小さいピニオン歯車を使用することができ、機構を薄型化することが可能になる。
【発明を実施するための最良の形態】
【００１９】
図１は本発明の実施の形態のディスク装置に設けられる機構ユニットを、底面を紙面の手前側に向けて示す底面図、図２は機構ユニットの一部を、底面を上に向けて示す部分分解斜視図、図３は機構ユニットの一部を、底面を紙面の手前側に向けて示す部分底面図、図４は図３の一部である移動機構を示す拡大底面図である。
【００２０】
各図では、図示Ｘ１方向が右方向、Ｘ２方向が左方向、Ｙ１方向が前方、Ｙ２方向が後方、Ｚ１方向が上方向、Ｚ２方向が下方向である。
【００２１】
ディスク装置１は、ＣＤ（コンパクト・ディスク）やＤＶＤ（デジタル・バーサタイル・ディスク）などのディスクが装填可能である。ディスク装置１は、車載用機器の１ＤＩＮサイズよりもさらに薄い大きさの、図示しない筐体を有する。筐体の前面には、液晶表示パネルや各種スイッチ類を有するノーズ部が設けられ（図示せず）、前記ノーズ部に幅方向（Ｘ方向）に延びるスリット状の挿入口が設けられている。
【００２２】
ディスク装置１は、筐体内に、図１に示す機構ユニット２が収納されている。機構ユニット２には、図１の紙面手前側に向けられているボトムシャーシ１０と、ボトムシャーシ１０よりも上方（Ｚ１方向）に間隔を空けて対向しているトップシャーシ１１とを有している。ボトムシャーシ１０またはトップシャーシ１１の４隅部は、ダンパー７０を介して筐体の内部に取り付けられており、ディスクＤからの読み取り動作を行っているときに、筐体に作用する外部振動が、読み取り動作に与える影響を低減できるようにしている。
【００２３】
ボトムシャーシ１０にはドライブベース８が設けられ、トップシャーシ１１にはクランプアームが支持されている。ドライブベース８には回転駆動部４が設けられている。回転駆動部４では、ドライブベース８にスピンドルモータ５が固定されており、スピンドルモータ５のＺ１方向へ突出する回転軸に、ターンテーブルが固定されている。また、前記クランプアームにターンテーブルに対向するクランパが回転自在に支持されている。
【００２４】
図１に示すように、ボトムシャーシ１０には、２つの搬送ローラ（搬送手段）６Ａ，６Ｂが設けられている。またトップシャーシ１１には、搬送ローラ６Ａ，６ＢとでディスクＤを挟む合成樹脂製の滑り部材が設けられている。
【００２５】
トップシャーシ１１には一対の検知ピン２６，２６が、互いに接近しまたは遠ざかることができるように動作自在に設けられている。また、検知ピン２６，２６は互いに接近する方向へ付勢されている。
【００２６】
図１に示すように、トップシャーシ１１の両側部に折り曲げられた折り曲げ側部には、左側方スライダ３Ａと右側方スライダ３Ｂが、それぞれＹ１−Ｙ２方向へ摺動自在に支持されている。ボトムシャーシ１０には駆動部材２０が設けられている。切換えモータＭ１の動力により駆動部材２０が時計方向へ回動させられると、左側方スライダ３ＡがＹ１方向へ移動させられる。さらに、駆動部材２０の動力がスライダリンク３１と逆転リンク３２を介して右側方スライダ３Ｂに作用し、右側方スライダ３Ｂは、左側方スライダ３Ａと共にＹ１方向へ移動させられる。左側方スライダ３Ａおよび右側方スライダ３Ｂには、クランプアームを持ち上げる持ち上げカムや、搬送ローラ６Ａ，６Ｂを下方向へ退避させるカムが設けられている。
【００２７】
図１は、ディスク挿入待機状態であり、クランプアームが持ち上げられてクランパがターンテーブルから離れている。また、搬送ローラ６Ａ，６Ｂがばねの力で滑り部材に圧接させられている。
【００２８】
挿入口からディスクＤが挿入され、ディスクＤにより検知ピン２６と検知ピン２６の間隔が広げられ、これが検知されると、搬送ローラ６Ａ，６Ｂが始動し、ディスクＤが搬送ローラ６Ａ，６Ｂと滑り部材とで挟持され、搬送ローラ６Ａ，６Ｂの回転力で、ディスクＤが機構ユニット２内に送り込まれる。ディスクＤの中心穴がターンテーブルの中心に一致するまでディスクＤが送り込まれたことが検知されると、切換えモータＭ１が始動し、左側方スライダ３Ａと右側方スライダ３Ｂが共にＹ１方向へ移動させられる。
【００２９】
そして、左側方スライダ３Ａと右側方スライダ３Ｂに設けられた持ち上げカムによりクランプアームの持ち上げが解除され、クランパがばねの力でターンテーブルに向けて付勢され、ディスクＤが、ターンテーブルとクランパとで挟まれてクランプされる。さらに、左側方スライダ３Ａと右側方スライダ３Ｂに設けられたカムにより、搬送ローラ６Ａ，６Ｂが、ディスクＤから離れる位置に下降させられる。そして、スピンドルモータ５でディスクＤが回転駆動される。
【００３０】
ドライブベース８には、回転駆動されるディスクＤに沿って移動するヘッド１８と、ヘッド１８を移動させる移動機構４０が設けられている。
【００３１】
ドライブベース８は板金材料などで形成されている。図１ないし図３に示すように、回転駆動部４では、ドライブベース８にモータ固定板８ａが一体に形成されており、モータ固定板８ａの上面（Ｚ１側の面）にスピンドルモータ５が固定されている。
【００３２】
また、ドライブベース８には、案内部を構成する一対の案内軸１６ａ，１６ｂが設けられている。案内軸１６ａ，１６ｂはステンレス鋼などで形成された丸棒である。案内軸１６ａの両端と案内軸１６ｂの両端は、それぞれドライブベース８に固定されている。案内軸１６ａと案内軸１６ｂは互いに平行となるように、その位置が調整されて取り付けられている。
【００３３】
ヘッド１８はヘッドベース１７を有している。ヘッドベース１７はアルミニウム合金などの軽金属材料で形成されている。ヘッドベース１７の一方の側部には、移動基準となる軸受部１７ａが一体に形成されている。この軸受部１７ａには丸穴が貫通して形成されており、案内軸１６ａがこの丸穴内に挿入されている。ヘッドベース１７の他方の側部にはＵ字溝を有する軸受部１７ｂが形成され、案内軸１６ｂは前記Ｕ字溝内に挟まれている。よって、ヘッドベース１７は、一方の案内軸１６ａを基準とし、案内軸１６ａ，１６ｂに沿ってＰ−Ｑ方向へ移動自在である。
【００３４】
ヘッドベース１７内には、半導体レーザなどの発光素子と、この発光素子から発せられた光をディスクの記録面に与える対物レンズと、ディスクの記録面から反射された反射光を受光する受光素子などが内蔵されている。
【００３５】
ドライブベース８では、案内軸１６ａと並ぶ箇所に移送モータＭ２が設けられている。移送モータＭ２はＺ１−Ｚ２方向の厚み寸法が薄型とされたステッピングモータである。移送モータＭ２のＺ２側の面が保持金具５２に固定されており、保持金具５２の両側部がドライブベース８に固定されている。移送モータＭ２の回転軸５１ａは、保持金具５２に形成された穴からＺ２方向へ突出しており、保持金具５２よりもＺ２側において、回転軸５１ａにピニオン歯車５１が固定されている。
【００３６】
移送機構４０では、ヘッドベース１７の軸受部１７ａが形成されている部分と同じ側部に、保持板４１と固定側ラック４３とが固定されている。図２と図３に示すように、保持板４１は薄いリン青銅板やステンレス板のような板ばねとしても機能できる金属板で形成されている。また、固定側ラック４３も、保持板４１と同等の薄い金属板で形成されている。
【００３７】
保持板４１には取付け片４１ｂが突出し、固定側ラック４３にも、取付け片４１ｂと同じ形状の取付け片４３ｂが形成されている。図２に示すように、固定側ラック４３の取付け片４３ｂには一対の位置決め穴４３ｂ１，４３ｂ１と、両位置決め穴４３ｂ１，４３ｂ１の中間に形成された取付け穴４３ｂ２とが設けられている。また、保持板４１に形成された取付け片４１ｂにも、同様に一対の位置決め穴と１つの取付け穴が形成されている。ヘッドベース１７のＺ２側に向けられた取付け面には、一対の位置決め突起１７ｃ，１７ｃが突出して一体に形成され、両位置決め突起１７ｃ，１７ｃの中間には雌ねじ穴が形成されている。
【００３８】
保持板４１に形成された取付け片４１ｂがヘッドベース１７の取付け面に設置され、このとき、取付け片４１ｂに形成された一対の位置決め穴に位置決め突起１７ｃを挿通させて、保持板４１をヘッドベース１７に位置決めする。固定側ラック４３に形成された取付け片４３ｂは、取付け片４１ｂの上に密着するように重ねられ、このときに取付け片４３ｂに形成されている一対の位置決め穴４３ｂ１，４３ｂ１に位置決め突起１７ｃ，１７ｃが挿通される。これにより、固定側ラック４３がヘッドベース１７に位置決めされる。そして、図３に示す取付けねじ１９が、取付け片４３ｂに形成された取付け穴４３ｂ２、および取付け片４１ｂに形成された取付け穴に挿入される。取付けねじ１９が、ヘッドベース１７に形成された雌ねじ穴に締め付けられると、保持板４１と固定側ラック４３が一緒に位置決めされて固定される。
【００３９】
図２に示すように、保持板４１には平坦面の保持摺動部４１ａが設けられ、保持板４１は、保持摺動部４１ａと取付け片４１ｂとの間に段差が形成されるように折り曲げられている。固定側ラック４３にも平坦面４３ｄが形成され、固定側ラック４３は、平坦面４３ｄと取付け片４３ｂとの間に段差が形成されるように折り曲げられている。前記のように、保持板４１に形成された取付け片４１ｂと、固定側ラック４３に形成された取付け片４３ｂとが密着してヘッドベース１７に固定されると、保持板４１の保持摺動部４１ａと、固定側ラック４３の平坦面４３ｄは、互いに間隔を空けて且つ互いに平行に対面する。
【００４０】
保持板４１に形成された保持摺動部４１ａの端部４１ａ１は、ヘッド１８の移動方向であるＰ−Ｑ方向へ直線的に延びている。そして、この端部４１ａ１は、ピニオン歯車５１と、支持部である保持金具５２の表面との間の隙間内部に挿入され、保持摺動部４１ａは、ピニオン歯車５１と重ねられた状態で、Ｐ−Ｑ方向へ往復移動できるようになっている。
【００４１】
保持板４１には、付勢部材として機能する板ばね４１ｃが一体に形成されている。板ばね４１ｃは弾性腕４１ｃ１を有している。弾性腕４１ｃ１はＱ側の基端部が保持摺動部４１ａから直角に折り曲げられてＰ−Ｑ方向に延び、Ｐ側が自由端となっている。この弾性腕４１ｃ１のＰ側の端部には、くの字形状に折り曲げられた付勢部４１ｃ２が設けられている。
【００４２】
保持板４１の保持摺動部４１ａと、固定側ラック４３の平坦面４３ｄとの間には可動側ラック４２が設けられている。可動側ラック４２は合成樹脂材料で形成されており、その上面には摺動突起４２ｂ，４２ｂが一体に形成されている。固定側ラック４３にはＰ−Ｑ方向に縦長に延びる一対の規制長穴４３ｃ，４３ｃが形成されている。前記摺動突起４２ｂ，４２ｂは、前記規制長穴４３ｃ，４３ｃ内に摺動自在に挿入されている。規制長穴４３ｃ，４３ｃ内では、摺動突起４２ｂ，４２ｂがＰ−Ｑ方向にのみ摺動でき、前記方向と直交する方向へはほとんど動かないように規制される。よって、可動側ラック４２は、保持板４１と固定側ラック４３との間で、Ｐ−Ｑ方向にのみ摺動できる。
【００４３】
可動側ラック４２の一方の縁部には、被圧部４２ｄが形成されており、前記板ばね４１ｃの弾性腕４１ｃ１の先部に設けられた付勢部４１ｃ２が、前記被圧部４２ｄに押圧されている。よって、可動側ラック４２は常にＱ方向へ付勢されている。固定側ラック４３にはＰ−Ｑ方向に並ぶラック歯４３ａが形成され、可動側ラック４２にも、Ｐ−Ｑ方向に並ぶラック歯４２ａが形成されている。可動側ラック４２が固定側ラック４３に位置決めされた状態で、ラック歯４３ａとラック歯４２ａは並んでいる。図４に示すように、ラック歯４２ａとラック歯４３ａにピニオン歯車５１が噛み合っていない状態では、前記板ばね４１ｃで付勢された可動側ラック４２がＱ方向へ移動しており、ラック歯４２ａがラック歯４３ａよりもややＱ側に位置するように位置ずれしている。
【００４４】
ラック歯４２ａとラック歯４３ａがピニオン歯車５１の歯に噛み合うと、ピニオン歯車５１の歯が、ラック歯４２ａとラック歯４３ａとで挟まれ、噛み合いによるバックラッシュが実質的に除去される。
【００４５】
保持板４１の保持摺動部４１ａのＱ側の端部には、Ｚ２方向へ隆起するように折り曲げられた掛止片４１ｄ１が一体に形成され、保持摺動部４１ａのＰ側の端部にも、Ｚ２方向へ隆起するように折り曲げられた掛止片４１ｄ２が一体に形成されている。固定側ラック４３では、平坦面４３ｄのＱ側の端部に支持片４３ｄ１が形成され、平坦面４３ｄのＰ側の端部に支持片４３ｄ２が形成されている。図３と図４に示すように、保持板４１に形成されたそれぞれの掛止片４１ｄ１，４１ｄ２が、固定側ラック４３の支持片４３ｄ１と４３ｄ２の上に掛止され、固定側ラック４３のラック歯４３ａが、保持板４１の保持摺動部４１ａからＺ２方向へ離れすぎるのを規制している。
【００４６】
固定側ラック４３の平坦面４３ｄには、下向きに折り曲げられたスペーサ片４３ｆが形成されている。このスペーサ片４３ｆは、可動側ラック４２に形成された逃げ穴４２ｃ内を経て、保持板４１の保持摺動部４１ａの上面に加圧されている。これにより、保持板４１と固定側ラック４３の間隔が狭められるのを規制している。
【００４７】
よって、可動側ラック４２は、保持板４１と固定側ラック４３との間でＰ−Ｑ方向へ小さい抵抗で動くことができ、さらに、可動側ラック４２のラック歯４２ａと固定側ラック４３のラック歯４３ａが、保持板４１からＺ２方向へ大きく離れることがない。
【００４８】
前記移送機構４０では、移送モータＭ２が動作しピニオン歯車５１が回転したときに、その回転力が固定側ラック４３からヘッドベース１７に伝達し、ヘッド１８がＰ−Ｑ方向へ移動する。このとき、保持板４１の保持摺動部４１ａが、ピニオン歯車５１と保持金具５２との間の隙間をＰ−Ｑ方向へ移動するため、固定側ラック４３のラック歯４３ａがＺ１−Ｚ２方向へ移動するのを規制でき、ラック歯４３ａとピニオン歯車５１との噛み合いを常に補償できる。しかも、可動側ラック４２のラック歯４２ａと固定側ラック４３のラック歯４３ａが、ピニオン歯車５１の歯に常に噛み合っているため、ラック部材とピニオン歯車５１との噛み合いのバックラッシュを実質的に解消できる。
【００４９】
また、保持摺動部４１ａが、ピニオン歯車５１と重なった位置で移動することで、ラック歯４２ａとラック歯４３ａがピニオン歯車５１に確実に噛み合うため、ピニオン歯車５１はその軸方向の厚み寸法を必要以上に大きくすることがなく、薄いピニオン歯車５１を使用することができる。
【図面の簡単な説明】
【００５０】
【図１】本発明の実施の形態のディスク装置に設けられる機構ユニットを底面を紙面の手曲げ側に向けて示す底面図、
【図２】機構ユニットに設けられた移動機構を示すものであり、機構ユニットを底面側を上向きにして示す部分分解斜視図、
【図３】機構ユニットを底面を紙面手前側に向けて示す底面図、
【図４】移動機構を底面から見た拡大部分底面図
【符号の説明】
【００５１】
１  ディスク装置
２  機構ユニット
４  回転駆動部
５  スピンドルモータ
１６ａ，１６ｂ  案内軸
１７  ヘッドベース
１８  ヘッド
４０  移動機構
４１  保持板
４１ｃ  板ばね
４１ｄ１，４１ｄ２  掛止片
４２  可動側ラック
４２ａ  ラック歯
４３  固定側ラック
４３ｄ１，４３ｄ２  支持片
４３ｆ  スペーサ片
５１  ピニオン歯車
５２  保持金具
Ｍ２  移送モータ
【図１】
2008090940.tif 000003
【図２】
2008090940.tif 000004
【図３】
2008090940.tif 000005
【図４】
2008090940.tif 000006